(57)【要約】【課題】  除染ガスとしての過酸化水素ガスを除染室から除去することができる構成を備えつつ、その回路構成が簡略化され、小型化することができる除染システムを提供することを目的とする。【解決手段】  太ガス管４１内に筒体１０を設け、この筒体１０内に送風ファン１５を設けた。さらに、当該筒体１０内に昇降シリンダー２１を設けて、触媒３０をガス通過可能に保持する触媒保持具２３を昇降可能とした。かかる構成にあって、除染時は、触媒保持具２３を上昇させて、ガス流入開口１０ａを触媒３０によって被覆されない開放状態とする。かかる状態では、過酸化水素ガスは、触媒３０を通過することなく除染室３内に送風される。一方、エアレーション時は、触媒保持具２３を下降させて、ガス流入開口１０ａが触媒３０によって被覆された遮蔽状態とする。かかる状態では、過酸化水素ガスを含む室内ガスが、間隙ｄを通り、かつ触媒３０を通過して除染室３内に送風される。【選択図】図２
2006192038.tif 000002
【特許請求の範囲】
【請求項１】
除染ガスを発生させる除染ガス発生装置と、
除染の対象となる除染室と、
一端が除染ガス発生装置と連通し、他端が除染室内と連通し、除染ガス発生装置が発生させた除染ガスを除染室内に導入する除染ガス導入路と
を備えた除染システムにおいて、
除染ガス発生装置が発生させた除染ガスが流入する除染ガス流入開口を一端に具備し、除染室内と連通する除染ガス供給開口を他端に具備した、内空部が除染ガス導入路の一部を構成する筒体と、
該筒体内に配設され、筒体内の除染ガスを除染ガス供給開口側へ送風する送風ファンと、
除染ガスが一側から他側に通過することにより該除染ガスが不活性化される除染ガス不活性化体と、
除染ガスが一側から他側に通過可能に除染ガス不活性化体を保持する除染ガス不活性化体保持具と、
該除染ガス不活性化体保持具と連繋して該除染ガス不活性化体保持具を移動させることにより、除染ガス流入開口を、除染ガス不活性化体により被覆された遮蔽状態又は開放された開放状態のいずれかに選択的に切り替える除染ガス流入開口開閉装置と、
一端が除染室内と連通し、他端が、筒体によって構成されない除染ガス導入路部分と連通し、除染室内の除染ガスを除染ガス導入路に導入する除染ガス循環路と
を備え、
除染ガス発生装置を駆動して除染ガスを発生させ、除染ガス流入開口開閉装置を駆動して除染ガス流入開口を開放状態とし、かつ送風ファンを駆動して除染ガス導入路にある除染ガスを除染室内に放出させる除染制御内容と、除染ガス発生装置に除染ガスの発生を中止させ、除染ガス流入開口開閉装置を駆動して除染ガス流入開口を遮蔽状態とし、かつ送風ファンを駆動してガス循環路にある除染ガスを含む除染室内ガスを除染ガス導入路を介して筒体内に導入し、筒体内のガスを除染室内に放出する不活性化制御内容を実行するものであることを特徴とする除染システム。
【請求項２】
除染室の室壁に接続開口を配設し、かつ、一端を該接続開口に接続し、他端を除染ガス発生装置に接続してなるガス管内に、当該ガス管の内径よりも外径を径小とした前記筒体を設け、当該筒体の周囲に、除染室内及び当該ガス管内と夫々連通する間隙を形成してなる構成にあって、
筒体の内空部及び該筒体の内空部と連通するガス管の内空部を除染ガス導入路とし、前記間隙を除染ガス循環路としたものであることを特徴とする請求項１記載の除染システム。
【発明の詳細な説明】
【技術分野】
【０００１】
本発明は、過酸化水素ガス等の除染ガスを用いて、除染対象となる除染室を除染する除染システムに関する。
【背景技術】
【０００２】
過酸化水素ガス等の除染ガスを除染室に供給し、当該除染室を除染すると共に、除染終了後は、当該除染室から除染ガスを除去する除染システムは既によく知られている。この除染システムは、除染ガスを発生させる除染ガス発生装置と、除染ガス供給開口が室壁に設けられた除染室と、一端が前記除染ガス発生装置に接続し、他端が前記除染ガス供給開口に接続して、除染ガス発生装置が発生させた除染ガスを除染室内へ導入するガス管とからなる構成が一般的である（例えば、特許文献１参照。）。
【０００３】
ここで、特許文献１に開示された構成について詳述すると、かかる構成は、触媒（殺菌剤を不活性化させるシステム）を具備する回路（第１の平行ブランチ）と、殺菌ガスを発生させる蒸発装置を具備する回路（第２の平行ブランチ）とを備えている。すなわち、このシステムは、二重回路で構成されている。そして、チャンバ内を殺菌するときは、第２の平行ブランチを選択し、液体殺菌剤供給源を駆動させながらチャンバに殺菌ガスを供給する。一方、殺菌が終了すると、今度は第１の平行ブランチを選択し、循環ガスを触媒に通過させて殺菌ガスをチャンバから除去する。
【０００４】
【特許文献１】特表２００３−５０９１６５号公報  （第１図）
【発明の開示】
【発明が解決しようとする課題】
【０００５】
しかしながら、特許文献１の発明は、上述のように二重回路で構成されているため、システム全体が大型化・複雑化してしまう問題があった。
【０００６】
そこで本発明は、除染ガスを除染室から除去することができる構成を備えつつ、その回路構成が簡略化・小型化された除染システムを提供することを目的とする。
【課題を解決するための手段】
【０００７】
本発明は、除染ガスを発生させる除染ガス発生装置と、除染の対象となる除染室と、一端が除染ガス発生装置と連通し、他端が除染室内と連通し、除染ガス発生装置が発生させた除染ガスを除染室内に導入する除染ガス導入路とを備えた除染システムにおいて、除染ガス発生装置が発生させた除染ガスが流入する除染ガス流入開口を一端に具備し、除染室内と連通する除染ガス供給開口を他端に具備した、内空部が除染ガス導入路の一部を構成する筒体と、該筒体内に配設され、筒体内の除染ガスを除染ガス供給開口側へ送風する送風ファンと、除染ガスが一側から他側に通過することにより該除染ガスが不活性化される除染ガス不活性化体と、除染ガスが一側から他側に通過可能に除染ガス不活性化体を保持する除染ガス不活性化体保持具と、該除染ガス不活性化体保持具と連繋して該除染ガス不活性化体保持具を移動させることにより、除染ガス流入開口を、除染ガス不活性化体により被覆された遮蔽状態又は開放された開放状態のいずれかに選択的に切り替える除染ガス流入開口開閉装置と、一端が除染室内と連通し、他端が、筒体によって構成されない除染ガス導入路部分と連通し、除染室内の除染ガスを除染ガス導入路に導入する除染ガス循環路とを備え、除染ガス発生装置を駆動して除染ガスを発生させ、除染ガス流入開口開閉装置を駆動して除染ガス流入開口を開放状態とし、かつ送風ファンを駆動して除染ガス導入路にある除染ガスを除染室内に放出させる除染制御内容と、除染ガス発生装置に除染ガスの発生を中止させ、除染ガス流入開口開閉装置を駆動して除染ガス流入開口を遮蔽状態とし、かつ送風ファンを駆動してガス循環路にある除染ガスを含む除染室内ガスを除染ガス導入路を介して筒体内に導入し、筒体内のガスを除染室内に放出する不活性化制御内容を実行するものであることを特徴とする除染システムである。ここで、除染とは、化学Ｔ期除染、無菌、殺菌、滅菌等が含まれる。
【０００８】
上記構成にあって、除染制御内容を実行すると、除染ガス発生装置の駆動により発生した除染ガスは、送風ファンの駆動により、除染ガス導入路を介して除染ガス流入開口から筒体内に流入することとなる。そして、この筒体内に流入した除染ガスは、他側の除染ガス供給開口から除染室内に放出されることとなる。ここで、かかる制御内容にあっては、除染ガス流入開口は除染ガス不活性化体により被覆されていない。したがって、除染ガスが除染ガス流入開口を通過する際に、除染ガス不活性化体を通過することがない。したがって、除染ガス発生装置が発生させた除染ガスは、除染効果を保持したまま、除染室内に投入され、該除染ガスにより除染室内を除染することが可能となる。一方、不活性化制御内容を実行すると、除染ガス発生装置から除染ガスは発生しないと共に、除染室内の除染ガスが、送風ファンの駆動により、除染ガス循環路及び除染ガス導入路を経由して、除染ガス流入開口から筒体内に流入することとなる。ここで、かかる制御内容にあっては、除染ガス流入開口は除染ガス不活性化体により被覆されている。したがって、除染ガスが除染ガス流入開口を通過する際には、除染ガス不活性化体を通過することとなる。したがって、筒体内に流入したガスは、不活性化されたガスとなる。そして、この筒体内に流入したガスは、除染ガス供給開口から再び除染室内に放出されることとなる。なお、かかる制御内容を所定時間継続して実行することにより、除染ガスを含む除染室内ガスが当該システムのガス通路を循環することとなって、順次除染ガスが不活性化されて除去されていくこととなる。このように本発明にかかる除染システムは、除染ガス導入路の除染室側の端部に、除染ガス不活性化体が切替可能に配設されてなる構成であるため、従来に比して配管構造を省略化・小型化することができる。
【０００９】
また、上記構成にあって、除染室の室壁に接続開口を配設し、かつ、一端を該接続開口に接続し、他端を除染ガス発生装置に接続してなるガス管内に、当該ガス管の内径よりも外径を径小とした前記筒体を設け、当該筒体の周囲に、除染室内及び当該ガス管内と夫々連通する間隙を形成してなる構成にあって、筒体の内空部及び該筒体の内空部と連通するガス管の内空部を除染ガス導入路とし、前記間隙を除染ガス循環路としたものである構成が提案される。ここで、前記ガス管は、ガスが通過可能なダクトや筒等でも良く、また所定形状の筐体にガスが通過可能な開口を設けたものであっても良い。
【００１０】
かかる構成にあっては、除染ガス発生装置と除染室とをつなぐガス管内に、除染ガス導入路と除染ガス循環路とが内在することとなる。したがって、除染室内のガスを循環させるために別途ガス管を配管する必要がなくなるため、より一層、配管構造を小型化・省略化することができる。
【発明の効果】
【００１１】
本発明の除染用システムは、除染ガス導入路の除染室側の端部に、除染ガス流入開口を除染ガス不活性化体で遮蔽又は開放し得る除染ガス流入開口開閉装置を備えた構成としたため、除染ガス不活性化体に除染ガスを導くためのガス通路を従来構成に比して短絡させることが可能となり、配管構造を省略化・小型化することができる効果がある。
【００１２】
また、ガス管の内部に筒体を設けて、該内部に生じた間隙を除染ガス循環路とした場合は、除染室内のガスを循環させるために別途ガス管を配管する必要がなくなるため、より一層、配管構造を小型化・省略化することができる効果がある。
【発明を実施するための最良の形態】
【００１３】
以下に、本発明にかかる除染システム１について説明する。
図１に示されるように、除染システム１は、過酸化水素ガス発生装置２と、除染室３と、ガス管４とで構成されている。
【００１４】
前記過酸化水素ガス発生装置２は、除染ガスとしての過酸化水素ガスを発生させる装置であって、公知のものが好適に用いられる。具体的には、過酸化水素水が装填された液体タンク（図示省略）から過酸化水素水を吸引し、この過酸化水素水を加熱面（図示省略）に滴下してフラッシュ蒸発（いわゆる急速蒸発法）させることにより過酸化水素ガスを発生させる構成である。なお、この過酸化水素ガス発生装置２により、本発明にかかる除染ガス発生装置が構成される。
【００１５】
除染室３は、除染の対象となる気密状の空間であって、その室壁３ｂには複数の接続開口３ａが配設されている。さらに、各接続開口３ａは、過酸化水素ガス発生装置２に接続されたガス管４の端部が接続されている。また、除染室３内と過酸化水素ガス発生装置２とそれぞれ連通する循環用ガス管４３も配設されている。なお、除染室３に対する接続開口３ａの数は、これに限定されるものではない。また、過酸化水素ガス発生装置２が発生させた過酸化水素ガスを所望方向へ送風するためのファンをガス管４に適宜設けても良い。ところで、接続開口３ａ近傍のガス管４内の構成については、本発明の要部となるため、以下に詳述する。
【００１６】
図２，３に示されるように、ガス管４の除染室３側の端部は、径大で断面方形状の太ガス管４１（図４，５参照）と、太ガス管４１より径小な細ガス管４２とで構成されている。さらに詳述すると、図２，３に示されるように、太ガス管４１は、一端が接続開口３ａに接続し、この接続開口３ａに対して縦向きに配されている。これに対し、太ガス管４１の他側の開口端４１ａには、細ガス管４２の一端が接続されている。図２，３にあっては、細ガス管４２は横向きに配されている。そして、細ガス管４２の他端に過酸化水素ガス発生装置２が接続されている。なお、各ガス管４１，４２の接続箇所は、内外にガスが漏出することのないように、気密状に接続される。
【００１７】
さらに、太ガス管４１内には、断面方形状（図５参照）で下方が先細りした筒体１０が収容されている。具体的には、筒体１０の外径を太ガス管４１の内径より径小とし、筒体１０の外側面に固着された取付け金具１９，１９により、太ガス管４１内に固定されている。なお、この固定状態にあっては、太ガス管４１のガス案内方向（図中では縦方向）と筒体１０の長手方向とが一致するように設定されている。また、筒体１０と太ガス管４１との間には、除染室３内、太ガス管４１内及び細ガス管４２内とそれぞれ連通する間隙ｄが形成されることとなる。この間隙ｄは、ガスが通過可能となっている。
【００１８】
前記筒体１０について詳述すると、かかる筒体１０は、両端が開放しており、上方に位置するガス流入開口１０ａ（図３参照）と、下方に位置するガス供給開口１１ａとを備えている。ここで、ガス供給開口１１ａを含む先細り部分は、除染室３内に臨むルーバー部１１となっている。
【００１９】
さらに、筒体１０内であって、ガス供給開口１１ａの上方位置には、ＨＥＰＡフィルタ２０が横断状に配設されている。具体的には、ＨＥＰＡフィルタ２０が、筒体１０に気密状に内嵌されており、支持具１４，１４によって支持されている。このＨＥＰＡフィルタ２０は、公知品を好適に用いることができ、当該ＨＥＰＡフィルタをガスが通過する際に異物を除去し、ガスを清浄化するものである。
【００２０】
また、ＨＥＰＡフィルタ２０の上方位置には、支持具１２，１２に支持された支持板１３が配設されており、この支持板１３上に送風ファン１５と昇降シリンダー２１とが固設されている。さらに詳述すると、支持板１３のほぼ中央には上下方向に貫通する送風孔１３ａが形成されており、この送風孔１３ａを囲繞する囲繞壁部１７が支持板１３の上面に立設している。また、囲繞壁部１７の上端は開口部１７ａが形成され、この開口部１７ａと送風孔１３ａとにより、ガスが下方へ流通可能となっている。
【００２１】
そして、この囲繞壁部１７内に、送風ファン１５が配設されている。この送風ファン１５は、回転軸１５ｂが接続された回転駆動部１６を備え、この回転軸１５ｂを回転させることにより、回転軸１５ｂの先端に接続された羽根部１５ａを回転させるものである。なお、この回転駆動部１６が駆動すると、筒体１０内のガスは、除染ガス供給開口１１ａ側へ送風されるように設定されている。
【００２２】
また、支持板１３上には、昇降シリンダー２１が配設されている。この昇降シリンダー２１は、上下方向に伸縮するロッド２２を備えており、このロッド２２の先端に後述の触媒保持具２３が固着されている。すなわち、昇降シリンダー２１が駆動してロッド２２が伸縮すると、触媒保持具２３が上下動することとなる。
【００２３】
触媒保持具２３は、図２〜４に示されるように、皿形状をしており、その凹部に触媒３０が配設されている。この触媒３０は、一側から他側に過酸化水素ガスが通過することにより、当該過酸化水素ガスを不活性化させるものである。なお、過酸化水素ガスを不活性化（分解）する触媒３０には、公知品を好適に用いることができる。
【００２４】
さらに、触媒保持具２３の底部中央には、上下方向に貫通したガス通過口２３ａが形成されている。また、触媒保持具２３の外形寸法と筒体１０のガス流入開口１０ａとの開口幅とはほぼ等しく設定されている。かかる構成にあっては、ロッド２２を収縮させると、触媒保持具２３が筒体１０のガス流入開口１０ａに当接する。さらに、この当接位置にあっては、ガス流入開口１０ａが触媒３０によって被覆された遮蔽状態（図２参照）となるようにしている。具体的には、触媒保持具２３と筒体１０の上端との間に隙間が生じないようにして、触媒３０を通過してから筒体１０内に流入する以外には、筒体１０内にガスが流入しないようにしている。
【００２５】
一方、ロッド２２を伸長すると、触媒保持具２３が上昇し、ガス流入開口１０ａが触媒３０によって被覆されない開放状態（図３参照）となる。すなわち、筒体１０の上端と触媒保持具２３との間から、筒体１０内へガスが流入可能となる。また、さらにロッド２２を伸長すると、触媒保持具２３により保持された触媒３０の上面が、太ガス管４１の内面５０に面接触した状態となる（図３参照）。かかる状態にあっては、太ガス管４１内のガスは触媒３０を通過することが不可能となって、太ガス管４１に内在する過酸化水素ガスは不活性化されないものとなる。
【００２６】
また、本除染システム１は、除染制御装置６０を備えている。この除染制御装置６０は、図６に示されるように、所定のプログラムを実行する中央制御装置ＣＰＵを備えている。この中央制御装置ＣＰＵには、データを随時読み書きできる記憶装置ＲＡＭと、演算処理に用いる動作プログラムやデータが格納される記憶装置ＲＯＭとが接続されている。かかる除染制御装置６０は、過酸化水素ガス発生装置２、送風ファン１５及び昇降シリンダー２１とそれぞれ接続している。そして、各装置２，１５，２１に、所定態様で駆動させるための制御指令信号が出力される。これに対し、制御指令信号が入力された各装置２，１５，２１は。その制御指令信号に従って所定態様で駆動することとなる。
【００２７】
かかる構成にあって、除染制御装置６０は、除染制御内容と不活性化制御内容とを具備している。
除染制御内容は、過酸化水素ガス発生装置２に過酸化水素ガスを発生させる制御指令信号を出力すると共に、昇降シリンダー２１にロッド２２を最大限度まで伸長させる制御指令信号を出力し、送風ファン１５に羽根部１５ａを回転させる制御指令信号を出力するものである。これに対し、不活性化制御内容は、過酸化水素ガス発生装置２に過酸化水素ガスの発生を中止させる制御指令信号を出力すると共に、昇降シリンダー２１にロッド２２を最大限度まで収縮させる制御指令信号を出力し、送風ファン１５に羽根部１５ａを回転させる制御指令信号を出力するものである。
【００２８】
なお、本実施例にかかる筒体１０のガス流入開口１０ａにより、本発明にかかる除染ガス流入開口が構成され、ガス供給開口１１ａにより、本発明にかかる除染ガス供給開口が構成される。また、前記触媒３０により、本発明にかかる除染ガス不活性化体が構成され、触媒保持具２３により、本発明にかかる除染ガス不活性化体保持具が構成される。さらに、前記昇降シリンダー２１により、本発明にかかる除染ガス流入開口開閉装置が構成される。
【００２９】
これまでに述べた構成にあって、本除染システム１の除染態様、及びエアレーション態様について説明する。
まず、除染態様について説明する。
【００３０】
除染制御装置６０が除染制御内容を実行すると、過酸化水素ガスが発生して、まず細ガス管４２内に過酸化水素ガスが流入する。そして、この過酸化水素ガスは、細ガス管４２の案内によって、開口端４１ａから太ガス管４１内に流入することとなる。一方、かかる制御内容実行中にあっては、上述のように触媒保持具２３は最上位置まで上昇し、ガス流入開口１０ａは開放状態となっている。また、筒体１０内では送風ファン１５が駆動している。このため、太ガス管４１内に流入した過酸化水素ガスは、触媒３０を通過することなく、ガス流入開口１０ａから筒体１０内に吸引され、開口部１７ａと送風孔１３ａとを通って支持板１３より下方に送風されることとなる。さらに、過酸化水素ガスは、ＨＥＰＡフィルタ２０も通過して、ガス供給開口１１ａから除染室３内に放出されることとなる。そして、放出された過酸化水素ガスにより、除染室３内が除染されることとなる。なお、除染する際は、新たな過酸化水素ガスを発生させつつ、循環用ガス管４３等で構成されるガス管４により、過酸化水素ガスを含む室内ガスを所定時間循環させる構成が好適である。
【００３１】
ここで、本実施例にかかる筒体１０の内空部１０’及びガス管４１，４２の内空部４１’，４２’により本発明にかかる除染ガス導入路が構成される。
【００３２】
一方、除染室３内の除染が終了した場合は、次に、当該除染室３に内在する過酸化水素ガスを除去することとなる。かかる状況で、除染制御装置６０が不活性化制御内容を実行すると、送風ファン１５の駆動により、ガス流入開口１０ａ付近が負圧化されて、筒体１０の周囲にあるガスが筒体１０内に流入し始めることとなる。このとき、過酸化水素ガスを含む室内ガスも、接続開口３ａを介して除染室３内に臨む間隙ｄを通って、ガス流入開口１０ａから筒体１０内に流入することとなる。一方、かかる制御内容実行中にあっては、触媒保持具２３は最下位置まで下降し、ガス流入開口１０ａは触媒３０により遮蔽状態となっている。このため、前記過酸化水素ガスを含む室内ガスは、触媒３０及びガス通過口２３ａを通過して筒体１０内に取り込まれる。このため、室内ガスに含まれる過酸化水素ガスは、触媒３０によって不活性化されて除染効果を喪失することとなる。そして、この不活性化されたガスは、開口部１７ａと送風孔１３ａとを通って支持板１３より下方に送風され、さらにＨＥＰＡフィルタ２０を経由した後、再びガス供給開口１１ａから除染室３内に放出されることとなる。このようなガスの流動が連続的に繰り返されることにより、除染室３内の過酸化水素ガスが、除去されていくこととなる。なお、エアレーションは、室内の過酸化水素濃度が、概ね、１ｐｐｍ以下となると終了することができる。また、エアレーション実行中にあっては、過酸化水素濃度が約１００ｐｐｍ以下となった時点で、除染室３の内圧を調整しつつ、低湿空気を導入して除染室３内の過酸化水素濃度を下げる構成としても良い。
【００３３】
ここで、本実施例にかかる間隙ｄにより本発明にかかる除染ガス循環路が構成される。なお、このように太ガス管４１内に過酸化水素ガスを除染室３内に導入するための除染ガス導入路と、過酸化水素ガスを循環させる除染ガス循環路とを設ける構成とすることにより、除染システム１の配管構造を簡略化することが可能となる。
【００３４】
次に、別の構成の除染システム１’について説明する。
図７に示されるように、除染システム１’は、これまでに述べた構成と異なる太ガス管４４を備える。
【００３５】
本実施例にかかる太ガス管４４について説明すると、図８，９に示されるように、該太ガス管４４の除染室３側の端部は、筒体１０のガス流入開口１０ａに接続されている。すなわち、前記間隙ｄは形成されない。
【００３６】
かかる構成にあって、除染制御装置６０が除染制御内容を実行すると、発生した過酸化水素ガスは、細ガス管４２内に流入し、さらに開口端４１ａから太ガス管４１内に流入する。ここで、図９に示されるように、かかる制御内容実行中にあっては、触媒保持具２３が上昇してガス流入開口１０ａは開放状態となっているため、太ガス管４１内に流入した過酸化水素ガスは、触媒３０を通過することなく、ガス流入開口１０ａから筒体１０内に吸引される。そして、筒体１０内に流入した過酸化水素ガスは、ガス供給開口１１ａから除染室３内に放出されることとなる。
【００３７】
ここで、本実施例にかかる筒体１０の内空部１０’及びガス管４２，４４の内空部４２’，４４’により本発明にかかる除染ガス導入路が構成される。
【００３８】
一方、除染制御装置６０が不活性化制御内容を実行すると、送風ファン１５の駆動により、ガス流入開口１０ａ付近が負圧化されて、筒体１０の周囲にあるガスが筒体１０内に流入し始めることとなる。ここで、本実施例にあっては、除染室３内にある室内ガスは、前記循環用ガス管４３により捕捉されて、室外に取り出され、駆動停止中の過酸化水素ガス発生装置２内部を通過して細ガス管４２及び太ガス管４４に流入して、回路内を循環している。このように、過酸化水素ガスを含む室内ガスが循環過程で太ガス管４４に流入することにより、ガス流入開口１０ａを介して筒体１０内に導入されることとなる。ここで、上述のように、かかる制御内容実行中にあっては、触媒保持具２３は下降してガス流入開口１０ａは触媒３０により遮蔽状態となっているため、過酸化水素ガスが触媒３０を通過することによって、室内ガスから過酸化水素ガスが除去されることとなる。
【００３９】
ここで、本実施例にかかる循環用ガス管４３の内空部により本発明にかかる除染ガス循環路が構成される。なお、図７〜９に示される構成にあっては、適宜構成を変更することができる。例えば、送風ファン１５を筒体１０内に設置せず、ガス管４内に設置することも可能である。
【００４０】
また、別の構成としては、触媒３０を過酸化水素ガスが通過可能な第一状態、又は不可能な第二状態のいずれかに選択的に切り替える構成として、触媒３０を、ガスが通過しないシャッターによって被覆してしまう状態と、被覆しない状態とに変換する構成が提案される。さらに詳述すると、シャッターを閉じることによってガス管４内と触媒３０の外表面とが遮断されて、ガス管４内の過酸化水素ガスが触媒３０に接触できない状態とすることにより、前記第二状態を実現できる。一方、前記シャッターを開けることによって触媒３０がガス管４内に露出させ、過酸化水素ガスと触媒３０とを接触可能とすることにより、前記第一状態を実現できる。
【００４１】
なお、これまでに述べた構成は、実施態様を適宜変更することが可能である。例えば、本発明にかかる構成を保持しつつ、その回路中に触媒を適宜備え付ける構成としても良い。また、用途は、室内滅菌に限定されることなく、アイソレータ等にも適用することが可能である。
【図面の簡単な説明】
【００４２】
【図１】除染システム１の概略図である。
【図２】エアレーション時のガス管４の縦断面図である。
【図３】除染時のガス管４の縦断面図である。
【図４】図２におけるＡ−Ａ断面図である。
【図５】図２における筒体１０の内部を省略して示すＢ−Ｂ断面図である。
【図６】除染システム１のブロック回路図である。
【図７】別構成の除染システム１’の概略図である。
【図８】除染システム１’にかかるエアレーション時のガス管４の縦断面図である。
【図９】除染システム１’にかかる除染時のガス管４の縦断面図である。
【符号の説明】
【００４３】
１，１’  除染システム
２  過酸化水素ガス発生装置
３  除染室
３ａ  接続開口
３ｂ  室壁
４  ガス管
１０  筒体
１０ａ  ガス流入開口
１０’筒体の内空部
１１ａ  ガス供給開口
１５  送風ファン
２１  昇降シリンダー
２３  触媒保持具
３０  触媒
４１，４４  太ガス管
４１’太ガス管の内空部
４２  細ガス管
４２’細ガス管の内空部
４３  循環用ガス管
６０  除染制御装置
ｄ  間隙
【図１】
2006192038.tif 000003
【図２】
2006192038.tif 000004
【図３】
2006192038.tif 000005
【図４】
2006192038.tif 000006
【図５】
2006192038.tif 000007
【図６】
2006192038.tif 000008
【図７】
2006192038.tif 000009
【図８】
2006192038.tif 000010
【図９】
2006192038.tif 000011